(57)【要約】【課題】記憶媒体の不使用時の薄型化を維持しつつ記憶媒体への負荷の防止等を図る。【解決手段】記憶媒体１００が装着される装着部８を筐体４から引き出した開放位置に移動されたホルダー１３に記憶媒体が挿入されたときにホルダーに対して移動され記憶媒体の挿入を検出する検出レバー３１、３１と、規制位置と非規制位置との間で移動可能とされると共に検出レバーによって記憶媒体のホルダーへの挿入が検出されたときに検出レバーの移動に伴って規制位置に移動されホルダーの開放位置から閉塞位置への移動を規制する規制レバー３０、３０とを設けた。【選択図】        図１３
2004348506.tif 000002
【特許請求の範囲】
【請求項１】
記憶媒体が挿入される挿入口を有する装着部が筐体に対して収納及び引出可能に構成され、装着部の内部に設けられ記憶媒体を保持するホルダーが挿入口を開放し装着部を筐体から引き出す開放位置と挿入口を閉塞し装着部を筐体内に収納する閉塞位置との間で移動可能とされた情報処理装置であって、
ホルダーに記憶媒体が挿入されたときにホルダーに対して移動され記憶媒体の挿入を検出する検出レバーと、
規制位置と非規制位置との間で移動可能とされると共に検出レバーによって記憶媒体のホルダーへの挿入が検出されたときに検出レバーの移動に伴って規制位置に移動されホルダーの開放位置から閉塞位置への移動を規制する規制レバーとを備えた
ことを特徴とする情報処理装置。
【請求項２】
ホルダーに厚みの異なる複数の記憶媒体が各別に挿入可能とされ、
ホルダーに記憶媒体が挿入されたときに検出レバーが記憶媒体の厚みに応じた異なる位置に移動され、
規制レバーを検出レバーが移動された位置に拘わらず規制位置に移動させるようにした
ことを特徴とする請求項１に記載の情報処理装置。
【請求項３】
ホルダーに厚みの異なる複数の記憶媒体が各別に挿入されたときに該記憶媒体の各所定の面を受ける受け面部を設け、
検出レバーを受け面部に接近する方向へ付勢する付勢手段を設け、
検出レバーが記憶媒体の厚みに応じた異なる位置に移動されたときに、付勢手段の付勢力によって検出レバーを介して記憶媒体を受け面部に押し付けるようにした
ことを特徴とする請求項２に記載の情報処理装置。
【発明の詳細な説明】
【０００１】
【発明の属する技術分野】
本発明は情報処理装置に関する。詳しくは、記憶媒体を保持したホルダーの開放位置から閉塞位置への移動を規制する規制レバーを設け、記憶媒体の不使用時の薄型化を維持しつつ記憶媒体への負荷の防止等を図る技術分野に関する。
【０００２】
【従来の技術】
情報処理装置には、例えば、ＰＤＡ（Ｐｅｒｓｏｎａｌ  Ｄｉｇｉｔａｌ  Ａｓｓｉｓｔａｎｔ）と称される携帯用の装置がある。
【０００３】
ＰＤＡは、一般に、扁平な略長方形状を為す筐体に複数の操作キーを有するキーボードが設けられており、操作キーに対する操作により文字入力やアプリケーションの起動等の種々の処理を行うことができる。
【０００４】
ＰＤＡには、拡張性を向上させるために、カード型の記憶媒体が挿入される挿入口が筐体に形成されたタイプがある。
【０００５】
【非特許文献１】
“「ＧＥＮＩＯｅ―製品情報―」”、［ｏｎｌｉｎｅ］、［平成１５年５月７日検索］、インターネット＜ＵＲＬ：ｈｔｔｐ：／／ｇｅｎｉｏ−ｅ．ｃｏｍ／ｐｄａ／ｐｒｏｄｕｃｔｓ／ｉｎｄｅｘ＿ｊ．ｈｔｍ＞
【０００６】
【発明が解決しようとする課題】
ところで、記憶媒体はＰＤＡの使用時に必ず用いられるものではないため、記憶媒体の不使用時のＰＤＡの薄型化を図るために、図１５に示すように、例えば、ＰＤＡａの筐体ｂの下面ｃから筐体ｂの厚み方向に引出可能な装着部ｄを設け、筐体ｂから装着部ｄを引き出して記憶媒体ｅを装着することが考慮される。
【０００７】
このようなＰＤＡａにあっては、装着部ｄからの記憶媒体ｅの取出の容易化等のために、記憶媒体ｅはその一部が装着部ｄから、例えば、筐体ｂの長手方向へ突出された状態で使用される。従って、使用者は、記憶媒体ｅを装着部ｄから取り出すときには、記憶媒体ｅの突出された部分を把持して装着部ｄから容易に引き出すことができる。
【０００８】
一方、記憶媒体ｅの不使用時には装着部ｄが筐体ｂ内に引き込まれて収納状態とされる（図１６参照）。従って、記憶媒体ｅの不使用時におけるＰＤＡａの薄型化を図ることができる。
【０００９】
ところが、ＰＤＡａを机上等の載置面ｆに載置し装着部ｄに記憶媒体ｅを装着した状態で筐体ｂに配置された操作キーｇ、ｇ、・・・を操作しようとしたときには、操作キーｇ、ｇ、・・・に対する操作に伴って筐体ｂに図１５に示すＦ方向への負荷が付与され、筐体ｂが装着部ｄから突出された記憶媒体ｅの一部に接触するおそれがある。このように筐体ｂが記憶媒体ｅに接触してしまうと、記憶媒体ｅの傷付きや損傷という不具合を生じる可能性がある。
【００１０】
また、操作キーｇ、ｇ、・・・の操作時に筐体ｂがＦ方向へ移動されてしまうと、ガタツキが発生し操作性が悪くなり、良好な操作状態を確保することができなくなってしまう。
【００１１】
そこで、本発明情報処理装置は、上記した問題点を克服し、記憶媒体の不使用時の薄型化を維持しつつ記憶媒体への負荷の防止等を図ることを課題とする。
【００１２】
【課題を解決するための手段】
本発明情報処理装置は、上記した課題を解決するために、記憶媒体が装着される装着部を筐体から引き出した開放位置に移動されたホルダーに記憶媒体が挿入されたときにホルダーに対して移動され記憶媒体の挿入を検出する検出レバーと、規制位置と非規制位置との間で移動可能とされると共に検出レバーによって記憶媒体のホルダーへの挿入が検出されたときに検出レバーの移動に伴って規制位置に移動されホルダーの開放位置から閉塞位置への移動を規制する規制レバーとを設けたものである。
【００１３】
従って、本発明情報処理装置にあっては、開放位置において記憶媒体がホルダーに挿入されたときに、規制レバーによってホルダーが開放位置に保持される。
【００１４】
【発明の実施の形態】
以下に、本発明情報処理装置の実施の形態を添付図面を参照して説明する。尚、以下に示す実施の形態は、本発明情報処理装置をＰＤＡに適用したものである。
【００１５】
情報処理装置１は装置本体２と該装置本体２に回動自在に支持されたカバー体３とから成る（図１乃至図５参照）。
【００１６】
装置本体２は扁平な略長方形状に形成された筐体４に所要の各部が配置されて成り、装置本体２の一方の面にはキーボード５が設けられている。
【００１７】
尚、筐体４の向きについては、図１に示すように、キーボード５が上方を向き、長手方向を前後方向とした向きで説明する。
【００１８】
キーボード５は筐体４のキーボード形成面（上面）４ａに設けられ、複数の操作キー５ａ、５ａ、・・・によって構成されている。
【００１９】
筐体４の後端部には左右に離隔して略上方へ突出された支持軸部６、６が設けられ、該支持軸部６、６間に回転カメラ部７が回転自在に支持されている。
【００２０】
装置本体２には、例えば、カード型の記憶媒体１００が装着される装着部８が設けられている（図２及び図３参照）。装着部８は筐体４の下面４ｂ側に設けられ、筐体４に対して収納及び引出可能に構成されている。
【００２１】
筐体４の下面４ｂには、筐体４内に収納された装着部８を引き出すためのリリース摘子４ｃが設けられている。
【００２２】
カバー体３は縦長の扁平な略矩形状を為す本体部９と該本体部９の長手方向における一端部から突出された被支持突部１０、１０とから成り、該被支持突部１０、１０は左右に離隔して設けられている。本体部９の一方の面には、例えば、液晶ディスプレイから成る表示部１１が設けられている（図１参照）。
【００２３】
被支持突部１０、１０は、それぞれ筐体４の支持軸部６、６にその外側に位置された状態で回動自在に支持されている（図１参照）。従って、カバー体３が一方へ回動されたときに装置本体２のキーボード５及びカバー体３の表示部１１が閉塞可能とされ（図２及び図３参照）、カバー体３が他方へ回動されたときにキーボード５及び表示部１１が開放可能とされる（図１参照）。
【００２４】
装置本体２に設けられた装着部８は取付ベース１２と該取付ベース１２に取り付けられたホルダー１３とを備えている。
【００２５】
取付ベース１２は、例えば、後方に開口された扁平な箱状に形成され（図３参照）、後方の開口が記憶媒体１００が挿入される挿入口１２ａとして形成されている。取付ベース１２は底面板１４を有し、該底面板１４の下面１４ａは装着部８が筐体４内に収納された状態において、筐体４の下面４ｂと略同一平面上に位置される。
【００２６】
ホルダー１３はロアー保持体１５がリンク機構１６を介してアッパー保持体１７に略上下方向へ移動自在に支持されて成る（図６乃至図８参照）。ロアー保持体１５は取付ベース１２の底面部１４の内面に固定され、アッパー保持体１７は筐体４の内部に設けられた図示しない固定部に固定されている。
【００２７】
ロアー保持体１５はベース部材１８に被支持部材１９が取り付けられて成る。
【００２８】
ベース部材１８は主面が略上下方向を向く受け面部１８ａと該受け面部１８ａの左右両側縁から上方へ突出された側面部１８ｂ、１８ｂとを有し、受け面部１８ａの前端部に端子配置部材２０が取り付けられている。端子配置部材２０には複数の端子ピン２１、２１、・・・が配置され、該端子ピン２１、２１、・・・の一部は端子配置部材２０から後方へ突出されている。端子配置部材２０にはフレキシブルプリント配線板２２が取り付けられ、該フレキシブルプリント配線板２２の各配線部がそれぞれ端子ピン２１、２１、・・・に接続されている。フレキシブルプリント配線板２２は、筐体４内に設けられた図示しない駆動回路に接続されている。
【００２９】
被支持部材１９は左右に離隔して位置された側面板部２３、２４と該側面板部２３、２４の前端寄りの位置の上縁間を連結する連結部２５とから成る。被支持部材１９は側面板部２３、２４がそれぞれベース部材１８の側面部１８ｂ、１８ｂの外面に取り付けられ、連結部２５が受け面部１８ａに取り付けられた端子配置部材２０の上面に配置される。
【００３０】
側面板部２３、２４の後端部には、それぞれ上方へ突出された支持片部２３ａ、２４ａが設けられている。支持片部２３ａ、２４ａには、それぞれ前後に離隔して内方へ突出された前側支持軸２６、２６と後側支持軸２７、２７とが設けられている。前側支持軸２６、２６にはそれぞれ第１の捩じりコイルバネ２８、２８が支持され、後側支持軸２７、２７にはそれぞれ第２の捩じりコイルバネ２９、２９が支持されている。第２の捩じりコイルバネ２９、２９のバネ力は、第１の捩じりコイルバネ２８、２８のバネ力より強くされている。
【００３１】
支持片部２３ａ、２４ａには、それぞれ前側支持軸２６、２６を介して規制レバー３０、３０が回動自在に支持されている。規制レバー３０は、図９に示すように、一方向に長い板状の略矩形状に形成され、内面に内方へ突出された受け片部３０ａが設けられている。受け片部３０ａは規制レバー３０の一方の側縁から突出され、規制レバー３０の長手方向に長く形成されている。規制レバー３０には他方の側縁から外方へ突出された被規制突部３０ｂが設けられている。
【００３２】
規制レバー３０、３０は長手方向における一端部を支点としてそれぞれ支持片部２３ａ、２４ａに回動自在に支持され、他端部が支持片部２３ａ、２４ａの上方側において略前後に移動する方向（図９に示すＲ１―Ｒ２方向）へ回動される。規制レバー３０、３０は第１の捩じりコイルバネ２８、２８によってＲ２方向、即ち、他端部が略後方へ移動する方向へ付勢されている。
【００３３】
支持片部２３ａ、２４ａには、それぞれ後側支持軸２７、２７を介して検出レバー３１、３１が回動自在に支持されている。検出レバー３１は、図９に示すように、一方向に長く形成され、長手方向における一端部が作用部３１ａとして形成され、他端部に外方へ突出された押圧突起３１ｂが設けられている。検出レバー３１の押圧突起３１ｂの近傍の位置には、外方へ突出された被規制突片３１ｃが設けられている。
【００３４】
検出レバー３１、３１は長手方向における略中央部を支点としてそれぞれ支持片部２３ａ、２４ａに回動自在に支持され、押圧突起３１ｂ側の端部が支持片部２３ａ、２４ａの上方側において略前後に移動する方向（図９に示すＲ１―Ｒ２方向）へ回動され、作用部３１ａ、３１ａはそれぞれベース部材１８の側面部１８ｂ、１８ｂに沿って略前後方向へ移動される。検出レバー３１、３１は第２の捩じりコイルバネ２９、２９によってＲ１方向、即ち、押圧突起３１ｂが略前方へ移動する方向へ付勢されている。
【００３５】
第２の捩じりコイルバネ２９、２９は、上記したように、第１の捩じりコイルバネ２８、２８よりバネ力が強くされているため、検出レバー３１、３１にＲ２方向への負荷が付与されていない状態においては、規制レバー３０、３０の受け片部３０ａ、３０ａが検出レバー３１、３１の押圧突起３１、３１ｂによってそれぞれ押圧される。検出レバー３１、３１は被規制突片３１ｃ、３１ｃがそれぞれ支持片部２３ａ、２４ａに設けられた前側支持軸２６、２６に接することによりＲ１方向における回動が規制される。
【００３６】
被支持部材１９の側面板部２３、２４の前端部には、それぞれ外方へ突出された被支持軸２３ｂ、２４ｂが設けられている（図６参照）。
【００３７】
左側に位置する側面板部２３には、その前後方向における略中央部に、上方へ突出された突部２３ｃが設けられ、該突部２３ｃに右方へ突出された支持軸３２が設けられている。支持軸３２には捩じりコイルバネ３３とロックレバー３４が支持されている。
【００３８】
ロックレバー３４は上端部に設けられ後方へ突出されたロック突部３４ａと左方へ突出された被規制突片３４ｂとを有している。ロックレバー３４は下端部を支点として突部２３ｃに回動自在に支持され、図６に示すＳ２方向へ捩じりコイルバネ３３によって付勢されている。ロックレバー３４は被規制突片３４ｂが突部２３ｃに係合されることによりＳ２方向への回動が規制される。ロックレバー３４は筐体４に設けられた上記リリース摘子４ｃの操作に連動して回動され、捩じりコイルバネ３３の付勢力に抗して図６に示すＳ１方向へ回動される。
【００３９】
リンク機構１６は第１のリンク部材３５と第２のリンク部材３６、３６とから成る（図６乃至図８参照）。
【００４０】
第１のリンク部材３５は、左右に離隔して位置された側板部３７、３７と、該側板部３７、３７の前端寄りの位置の上縁間を連結する連結板部３８と、側板部３７、３７の前端部の上縁から互いに近付く方向へ突出された突片部３９、３９とから成る。第１のリンク部材３５は側板部３７、３７の後端部が被支持部材１９の側面板部２３、２４の後端部の外面に回動可能に連結されている。
【００４１】
突片部３９は、側板部３７の上縁から側方へ突出された延設部３９ａと、該延設部３９ａの先端縁から上方へ突出された連結面部３９ｂと、該連結面部３９ｂの内面から側方へ突出された連結ピン３９ｃと、延設部３９ａの前縁から上方へ突出されたバネ掛け部３９ｄとから成る。
【００４２】
第２のリンク部材３６、３６は略前後方向に長い板状に形成され、前端部に長穴状の支持孔３６ａ、３６ａが形成されている。第２のリンク部材３６、３６の支持孔３６ａ、３６ａには被支持部材１９の側面板部２３、２４に設けられた被支持軸２３ｂ、２４ｂがそれぞれ摺動自在に支持されている。
【００４３】
第２のリンク部材３６、３６と第１のリンク部材３５の側板部３７、３７とは、各長手方向における中間部が互いに回動可能に連結されている。
【００４４】
アッパー保持体１７は、左右方向に長い主面板４０と、該主面板４０の左右両側縁からそれぞれ上方へ突出された側板４１、４１と、該側板４１、４１の上縁からそれぞれ外方へ突出された受け板４２、４２と、側板４１、４１から前方へ突出された支持板４３、４３とが一体に形成されて成る。
【００４５】
側板４１、４１の後端部には、外方へ突出された連結軸４１ａ、４１ａが設けられている。左側の側板４１の前端部には、その外面に被ロック部材４４が取り付けられ、該被ロック部材４４は左方へ突出されたロック用係合部４４ａを有している。
【００４６】
支持板４３、４３には、その後端部にはバネ掛け片４３ａ、４３ａが設けられ、前端部に長穴状の連結孔４３ｂ、４３ｂが形成されている。
【００４７】
アッパー保持体１７は連結軸４１ａ、４１ａの外側の端部にそれぞれ第２のリンク部材３６、３６の後端部が回動可能に連結されている。従って、受け板４２、４２がそれぞれ規制レバー３０、３０の上方側に位置される。
【００４８】
アッパー保持体１７の連結孔４３ｂ、４３ｂにはそれぞれ第１のリンク部材３５の連結ピン３９ｃ、３９ｃが摺動自在に支持される。
【００４９】
アッパー保持体１７のバネ掛け片４３ａ、４３ａと第１のリンク部材３５のバネ掛け部３９ｄ、３９ｄとの間には、それぞれ引張コイルバネ４５、４５が支持されている。従って、ロアー保持体１５はリンク機構１６を介してアッパー保持体１７に対して略下方へ付勢される。ロアー保持体１５はリンク機構１６によってアッパー保持体１７に対して略上下方向へ移動可能とされ、ロアー保持体１５が移動範囲における上方側の移動端にある状態（図７参照）においては、ホルダー１３は装着部８の挿入口１２ａが閉塞された閉塞位置にあり、ロアー保持体１５が移動範囲における下方側の移動端にある状態（図８参照）においては、ホルダー１３は装着部８の挿入口１２ａが開放された開放位置にある。
【００５０】
情報処理装置１にあっては、これを携帯用の装置又は据置用の装置として使用することが可能であり、携帯用の装置として使用する場合には、通常、装置本体２を把持し、カバー体３を所望の角度で装置本体２に対して開き（図１参照）、例えば、キーボード５の操作キー５ａ、５ａ、・・・に対する操作、回転カメラ部７を用いての撮影等を行うことができる。
【００５１】
情報処理装置１を据置用の装置として使用する場合には、机上等の載置面１０００に装置本体２を載置された状態（図４及び図５参照）で、上記した携帯用の機器として使用する場合と同様の操作等を行うことができる。
【００５２】
情報処理装置１を据置用の装置として使用する場合に、装着部８が筐体４内に収納された状態で載置面１０００に載置したときには、図４に示すように、取付ベース１２の底面部１４の下面１４ａの後端側の部分Ｐ１と筐体４の下面４ｂの前後に離隔した２つの部分Ｑ１、Ｑ２が載置面１０００に接する。従って、装着部８が筐体４内に収納された状態において、キーボード５の操作キー５ａ、５ａ、・・・の操作時の安定した操作状態を確保することができる。
【００５３】
また、情報処理装置１を据置用の装置として使用する場合に、装着部８が筐体４から引き出された状態で載置面１０００に載置されたときには、図５に示すように、取付ベース１２の底面部１４の下面１４ａの前後に位置する２つの部分Ｐ１、Ｐ２と筐体４の下面４ｂの前端側の部分Ｑ２が載置面１０００に接する。従って、装着部８が筐体４から引き出された状態においても、キーボード５の操作キー５ａ、５ａ、・・・の操作時の安定した操作状態を確保することができる。
【００５４】
情報処理装置１を据置用の装置として使用する場合には、図４に示すように、装着部８を筐体４内に収納した状態で使用することが可能であり、また、図５に示すように、装着部８を筐体４から引き出して装着部８に記憶媒体１００を装着した状態で使用することも可能である。装着部８に記憶媒体１００を装着した状態で使用する場合には、装着された記憶媒体１００の一部が装着部８から後方へ突出されている。従って、記憶媒体１００の装着部８から突出された部分を把持することにより、記憶媒体１００を装着部８から容易に引き出すことができる。
【００５５】
以下に、装着部８が筐体４から引き出されるときの動作、記憶媒体１００が装着部８の挿入口１２ａからホルダー１３に挿入されるときの動作、記憶媒体１００がホルダー１３から取り出されるときの動作及び装着部８が筐体４内に収納されるときの動作について説明する（図１０乃至図１４参照）。
【００５６】
先ず、装着部８が筐体４内に収納されている状態について説明する（図１０参照）。
【００５７】
装着部８が筐体４内に収納されている状態においては、挿入口１２ａが閉塞されており、ホルダー１３は閉塞位置にある。
【００５８】
ホルダー１３のロアー保持体１５は移動範囲における上方側の移動端に位置され、ロックレバー３４のロック突部３４ａがアッパー保持体１７に取り付けられた被ロック部材４４のロック用係合部４４ａに係合されている。従って、ロアー保持体１５は移動範囲における上方側の移動端でロックされている。
【００５９】
ホルダー１３が閉塞位置にある状態においては、第１のリンク部材３５の側板部３７、３７の略全体と第２のリンク部材３６、３６の略全体が左右方向において重なり合うようにして位置されている。
【００６０】
規制レバー３０、３０はアッパー保持体１７の受け板４２、４２に上方側から押さえられた状態とされ、図１０に示すＲ１方向における回動端である非規制位置にある。このとき検出レバー３１、３１は被規制突片３１ｃ、３１ｃが前側支持軸２６、２６に係合されてＲ１方向における回動が規制され、Ｒ１方向における回動端に位置されている。規制レバー３０、３０の受け片部３０ａ、３０ａと検出レバー３１、３１の押圧突起３１ｂ、３１ｂとは離隔されている。
【００６１】
次いで、筐体４の下面４ｂに設けられたリリース摘子４ｃが操作されると、該リリース摘子４ｃに連動してロックレバー３４が図１０に示すＳ１方向へ回動される。ロックレバー３４がＳ１方向へ回動されると、ロック突部３４ａと被ロック部材４４のロック用係合部４４ａとの係合が解除され、ロアー保持体１５が引張コイルバネ４５、４５の付勢力によってアッパー保持体１７に対して略下方へ移動されていく（図１１参照）。このときロックレバー３４は、被規制突片３４ｂが被支持部材１９の突部２３ｃの周縁に摺接しながらロアー保持体１５と一体となって略下方へ移動されていく。
【００６２】
ロアー保持体１５が略下方へ移動されるときには、被支持部材１９の被支持軸２３ｂ、２４ｂがそれぞれ第２のリンク部材３６、３６の連結孔４３ｂ、４３ｂ内を摺動され、ロアー保持体１５は被支持軸２３ｂ、２４ｂが連結孔４３ｂ、４３ｂの一方の端部に係合されたところで下方への移動が停止される。ロアー保持体１５の略下方への移動が停止されることにより、挿入口１２ａが開放され、ホルダー１３が開放位置に至る（図１１参照）。
【００６３】
このとき検出レバー３１、３１は被規制突片３１ｃ、３１ｃが前側支持軸２６、２６に係合されてＲ１方向における回動が規制されたままであり、Ｒ１方向における回動端に位置されている。作用部３１ａ、３１ａはロアー保持体１５の側面部１８ｂ、１８ｂの直ぐ内側に位置されている。
【００６４】
ホルダー１３が開放位置に至った状態においては、規制レバー３０、３０はアッパー保持体１７の受け板４２、４２から離隔され、Ｒ１方向における回動端に位置されている検出レバー３１、３１の押圧突起３１ｂ、３１ｂが受け片部３０ａ、３０ａに係合され、規制レバー３０、３０の全体が受け板４２、４２の下方に位置した状態とされる。
【００６５】
次いで、挿入口１２ａから記憶媒体１００がホルダー１３に挿入される。情報処理装置１にあっては、ホルダー１３に厚みが異なる２種類の記憶媒体が挿入可能とされており、以下の説明においては、厚みが薄い方の記憶媒体を第１の記憶媒体１００ａとし、厚みが厚い方の記憶媒体を第２の記憶媒体１００ｂとする。尚、記憶媒体１００には上記端子ピン２１、２１、・・・に接続されるコネクター部が設けられている。
【００６６】
第１の記憶媒体１００ａが挿入口１２ａからホルダー１３に挿入されていくと、第１の記憶媒体１００ａによって検出レバー３１、３１の作用部３１ａ、３１ａが前方へ押圧される。作用部３１ａ、３１ａが前方へ押圧されると、検出レバー３１、３１は第２の捩じりコイルバネ２９、２９の付勢力に抗して図１２に示すＲ２方向へ回動される。
【００６７】
検出レバー３１、３１がＲ２方向へ回動されると、第１の捩じりコイルバネ２８、２８の付勢力によって規制レバー３０、３０もＲ２方向へ回動される。このとき検出レバー３１、３１の押圧突起３１ｂ、３１ｂは規制レバー３０、３０の受け片部３０ａ、３０ａと摺接される。
【００６８】
規制レバー３０、３０は被規制突部３０ｂ、３０ｂがそれぞれ側面板部２３、２４の支持片部２３ａ、２４ａの上縁に係合されることによりＲ２方向への回動が停止され、移動範囲におけるＲ２方向側の移動端である規制位置に達する。規制レバー３０、３０のＲ２方向への回動が停止された状態においては、規制レバー３０、３０は略垂直な状態となり、各先端縁がアッパー保持体１７の受け板４２、４２の下面に当接される。従って、アッパー保持体１７に下方側への負荷が付与されても、アッパー保持体１７がロアー保持体１５に対して相対的に下方へ移動されることがなく、ホルダー１３の開放位置から閉塞位置への移動が規制レバー３０、３０によって規制される。
【００６９】
規制レバー３０、３０のＲ２方向における回動が停止されても、検出レバー３１、３１はさらに作用部３０ａ、３０ａが第１の記憶媒体１００ａに押圧されてＲ２方向へ回動され、第１の記憶媒体１００ａが検出レバー３１、３１とロアー保持体１５の受け面部１８ａとの間に挿入される（図１３参照）。第１の記憶媒体１００ａが検出レバー３１、３１とロアー保持体１５の受け面部１８ａとの間に挿入されると、検出レバー３１、３１のＲ２方向への回動が停止され、第１の記憶媒体１００ａは第２の捩じりコイルバネ２９、２９の付勢力によって検出レバー３１、３１を介して受け面部１８ａに押し付けられる。従って、第２の捩じりコイルバネ２９、２９は記憶媒体１００ａを受け面部１８ａに押し付けるための付勢手段として機能する。
【００７０】
第１の記憶媒体１００ａは、さらにホルダー３の奥側まで挿入され、コネクター部が端子ピン２１、２１、・・・に接続される。第１の記憶媒体１００ａはコネクター部が端子ピン２１、２１、・・・に接続されることにより装着部８への装着が完了され、このとき第１の記憶媒体１００ａの後端部が挿入口１２ａから後方へ突出されている。
【００７１】
第１の記憶媒体１００ａが装着部８に装着された状態においては、情報処理装置１と第１の記憶媒体１００ａとの間で情報信号の読み書きが可能となる。
【００７２】
装着部８に装着された第１の記憶媒体１００ａの装着部８からの取出は、第１の記憶媒体１００ａの挿入口１２ａから突出された部分を把持して引き出すことにより行うことができる。
【００７３】
第１の記憶媒体１００ａが装着部８から引き出されると、検出レバー３１、３１が第２の捩じりコイルバネ２９、２９の付勢力によって図１３に示すＲ１方向へ被規制突片３１ｃ、３１ｃが前側支持軸２６、２６に係合されるまで回動される（図１２参照）。従って、検出レバー３１、３１は再びＲ１方向における回動端に位置される。
【００７４】
規制レバー３０、３０は受け片部３０ａ、３０ａが検出レバー３１、３１の押圧突起３１ｂ、３１ｂによって前方側へ押圧され、Ｒ１方向へ回動される。Ｒ１方向へ回動された規制レバー３０、３０は、先端部が受け板４２、４２の前端部の下方に位置した状態とされる（図１２参照）。
【００７５】
次いで、取付ベース１２の底面部１４を上方へ押圧していくと、該底面部１４に固定されているロアー保持体１５が略上方へ移動され、ロアー保持体１５の移動に伴ってロックレバー３４が一体となって略上方へ移動されていく。このときロックレバー３４は、被規制突片３４ｂが被支持部材１９の突部２３ｃの周縁に摺接しながら略上方へ移動されていく。
【００７６】
ロアー保持体１５の略上方への移動により、ロックレバー３４のロック突部３４ａの外周縁がロアー保持体１５に取り付けられた被ロック部材４４のロック用係合部４４ａに摺接され、ロック突部３４ａがロック用係合部４４ａを乗り越えたところでロックレバー３４が捩じりコイルバネ２９の付勢力によって図１１に示すＳ２方向へ回動されてロック突部３４ａがロック用係合部４４ａに係合され、ホルダー１３が再び閉塞位置にロックされる（図１０参照）。ホルダー１３が閉塞位置に至ると、挿入口１２ａが閉塞される。
【００７７】
ロアー保持体１５が略上方へ移動されていくときには、規制レバー３０、３０の側縁が受け板４２、４２と摺接され、ホルダー１３が閉塞位置に至ったところで、規制レバー３０、３０は再びＲ１方向における回動端である非規制位置に戻る。
【００７８】
次に、厚みが厚い第２の記憶媒体１００ｂが挿入口１２ａから挿入されたときの動作について説明する（図１４参照）。尚、第２の記憶媒体１００ｂが挿入口１２ａから挿入されたときの動作は、検出レバー３１、３１の回動が停止される位置が異なることを除いては、第１の記憶媒体１００ａが挿入口１２ａから挿入されたときの動作と同様であるため、第１の記憶媒体１００ａが挿入口１２ａから挿入されたときの動作に対して異なる動作について詳細に説明する。
【００７９】
第２の記憶媒体１００ｂが挿入口１２ａからホルダー１３に挿入されていくと、第２の記憶媒体１００ｂによって検出レバー３１、３１の作用部３１ａ、３１ａが前方へ押圧されて検出レバー３１、３１がＲ２方向へ回動され、第１の捩じりコイルバネ２８、２８の付勢力によって規制レバー３０、３０もＲ２方向へ回動される。
【００８０】
規制レバー３０、３０は被規制突部３０ｂ、３０ｂがそれぞれ側面板部２３、２４の支持片部２３ａ、２４ａの上縁に係合されることによりＲ２方向への回動が停止され、規制レバー３０、３０の各先端縁がアッパー保持体１７の受け板４２、４２に当接されて規制位置に至る。従って、第２の記憶媒体１００ｂが挿入口１２ａから挿入されたときに回動された規制レバー３０、３０の停止位置は、第１の記憶媒体１００ａが挿入口１２ａから挿入されたときに回動された規制レバー３０、３０の停止位置と同じ位置である。
【００８１】
規制レバー３０、３０のＲ２方向における回動が停止されても、検出レバー３１、３１はさらに作用部３０ａ、３０ａが第２の記憶媒体１００ｂに押圧されてＲ２方向へ回動され、第２の記憶媒体１００ｂが検出レバー３１、３１とロアー保持体１５の受け面部１８ａとの間に挿入される。第２の記憶媒体１００ｂが検出レバー３１、３１とロアー保持体１５の受け面部１８ａとの間に挿入されると、検出レバー３１、３１のＲ２方向への回動が停止され、第２の記憶媒体１００ｂは第２の捩じりコイルバネ２９、２９の付勢力によって検出レバー３１、３１を介して受け面部１８ａに押し付けられる。
【００８２】
第２の記憶媒体１００ｂが検出レバー３１、３１とロアー保持体１５の受け面部１８ａとの間に挿入されたときの検出レバー３１、３１の回動量は、第１の記憶媒体１００ａが検出レバー３１、３１とロアー保持体１５の受け面部１８ａとの間に挿入されたときの検出レバー３１、３１の回動量に比し、第２の記憶媒体１００ｂが第１の記憶媒体１００ａより厚みが厚い分、大きくされる。
【００８３】
以上に記載した通り、情報処理装置１にあっては、ホルダー１３が開放位置にある状態において、規制レバー３０、３０によってホルダー１３の開放位置から閉塞位置への移動が規制されるため、操作キー５ａ、５ａ、・・・に対する操作時にホルダー１３が移動されることがなく、記憶媒体１００の挿入口１２ａから突出された部分の傷付きや損傷を防止することができ、また、記憶媒体１００の不使用時には装着部８が筐体４内に収納されるため、記憶媒体１００の不使用時における情報処理装置１の薄型化を図ることができる。
【００８４】
また、操作キー５ａ、５ａ、・・・に対する操作時にホルダー１３が移動されることがないため、操作時のガタツキが発生せず、情報処理装置１の良好な操作性を確保することができる。
【００８５】
さらに、情報処理装置１にあっては、挿入口１２ａから挿入された記憶媒体１００の厚みに拘わらず、規制レバー３０、３０がホルダー１３の開放位置から閉塞位置への移動を規制する規制位置まで回動されるため、記憶媒体１００の厚みに因らず記憶媒体１００の傷付きや損傷の防止及び良好な操作性の確保を図ることができる。
【００８６】
加えて、厚みの異なる何れの記憶媒体１００がホルダー１３に挿入された状態においても、検出レバー３１、３１によって記憶媒体１００がロアー保持体１５の受け面部１８ａに押し付けられるため、各記憶媒体１００のホルダー１３に対する厚み方向における位置決めが確実に行われ、各記憶媒体１００のコネクタ部を端子ピン２１、２１、・・・に確実に接続することができる。
【００８７】
上記には、装着部８に厚みの異なる２種類の記憶媒体１００（第１の記憶媒体１００ａ、第２の記憶媒体１００ｂ）を装着する例を示したが、記憶媒体１００の種類は２種類に限られることはなく、厚みが異なる３種類以上の記憶媒体１００が装着部８に装着されるようにすることも可能である。この場合には、検出レバー３１、３１の回動量が各記憶媒体１００の厚みに応じて異なるが、規制レバー３０、３０は何れも規制位置まで回動されて停止される。
【００８８】
また、上記には、本発明情報処理装置をＰＤＡに適用した例を示したが、本発明の適用範囲はこれに限られることはなく、例えば、本発明を記憶媒体の装着が可能なパーソナルコンピュータ、ネットワーク端末、携帯情報端末、ワークステーション等の各種の情報処理装置に適用することができる。
【００８９】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００９０】
【発明の効果】
以上に記載したところから明らかなように、本発明情報処理装置は、記憶媒体が挿入される挿入口を有する装着部が筐体に対して収納及び引出可能に構成され、装着部の内部に設けられ記憶媒体を保持するホルダーが挿入口を開放し装着部を筐体から引き出す開放位置と挿入口を閉塞し装着部を筐体内に収納する閉塞位置との間で移動可能とされた情報処理装置であって、ホルダーに記憶媒体が挿入されたときにホルダーに対して移動され記憶媒体の挿入を検出する検出レバーと、規制位置と非規制位置との間で移動可能とされると共に検出レバーによって記憶媒体のホルダーへの挿入が検出されたときに検出レバーの移動に伴って規制位置に移動されホルダーの開放位置から閉塞位置への移動を規制する規制レバーとを備えたことを特徴とする。
【００９１】
従って、ホルダーが開放位置にある状態において、規制レバーによってホルダーの開放位置から閉塞位置への移動が規制されるため、記憶媒体が挿入口から突出されていても記憶媒体の傷付きや損傷を防止することができ、また、記憶媒体の不使用時には装着部が筐体内に収納されるため、記憶媒体の不使用時における情報処理装置の薄型化を図ることができる。
【００９２】
また、ホルダーが開放位置にあるときに情報処理装置を使用した場合でも、ホルダーが閉塞位置へ向けて移動されることがないため、ガタツキが発生せず、情報処理装置の使い勝手の向上を図ることができる。
【００９３】
請求項２に記載した発明にあっては、ホルダーに厚みの異なる複数の記憶媒体を各別に挿入可能とし、ホルダーに記憶媒体が挿入されたときに検出レバーを記憶媒体の厚みに応じた異なる位置に移動させ、規制レバーを検出レバーが移動された位置に拘わらず規制位置に移動させるようにしたので、記憶媒体の厚みに因らず記憶媒体の傷付きや損傷の防止及び情報処理装置の使い勝手の向上を図ることができる。
【００９４】
請求項３に記載した発明にあっては、ホルダーに厚みの異なる複数の記憶媒体が各別に挿入されたときに該記憶媒体の各所定の面を受ける受け面部を設け、検出レバーを受け面部に接近する方向へ付勢する付勢手段を設け、検出レバーが記憶媒体の厚みに応じた異なる位置に移動されたときに、付勢手段の付勢力によって検出レバーを介して記憶媒体を受け面部に押し付けるようにしたので、記憶媒体の厚みに因らず記憶媒体のホルダーに対する厚み方向における位置決めが確実に行われ、各記憶媒体を装着部に確実に装着することができる。
【図面の簡単な説明】
【図１】図２乃至図１４と共に本発明情報処理装置の実施の形態を示すものであり、本図はカバー体が開放された状態を示す情報処理装置の斜視図である。
【図２】カバー体が閉塞され装着部が筐体内に収納された状態を示す情報処理装置の斜視図である。
【図３】カバー体が閉塞され装着部が筐体から引き出された状態を示す情報処理装置の斜視図である。
【図４】カバー体が開放されているときに装着部が筐体内に収納された状態を示す情報処理装置の側面図である。
【図５】カバー体が開放されているときに装着部が筐体から引き出された状態を示す情報処理装置の側面図である。
【図６】ホルダーの分解斜視図である。
【図７】閉塞位置にあるときのホルダーの拡大斜視図である。
【図８】開放位置にあるときのホルダーの拡大斜視図である。
【図９】規制レバーと検出レバーの関係を示す拡大斜視図である。
【図１０】図１１乃至図１４と共にホルダーの動作を示すものであり、本図はホルダーが閉塞位置にある状態を示す拡大側面図である。
【図１１】ホルダーが開放位置にある状態を示す拡大側面図である。
【図１２】開放位置にあるホルダーに記憶媒体が挿入される前の状態を示す拡大側面図である。
【図１３】ホルダーに厚みが薄い記憶媒体が挿入された状態を示す拡大側面図である。
【図１４】ホルダーに厚みが厚い記憶媒体が挿入された状態を示す拡大側面図である。
【図１５】図１６と共に問題点を説明するためのものであり、本図は装着部が筐体から引き出された状態を示す概略側面図である。
【図１６】装着部が筐体内に収納された状態を示す概略側面図である。
【符号の説明】
１…情報処理装置、４…筐体、８…装着部、１２ａ…挿入口、１３…ホルダー、１８ａ…受け面部、２９…第２の捩じりコイルバネ（付勢手段）、３０…規制レバー、３１…検出レバー、１００…記憶媒体、１００ａ…第１の記憶媒体、１００ｂ…第２の記憶媒体
【図１】
2004348506.tif 000003
【図２】
2004348506.tif 000004
【図３】
2004348506.tif 000005
【図４】
2004348506.tif 000006
【図５】
2004348506.tif 000007
【図６】
2004348506.tif 000008
【図７】
2004348506.tif 000009
【図８】
2004348506.tif 000010
【図９】
2004348506.tif 000011
【図１０】
2004348506.tif 000012
【図１１】
2004348506.tif 000013
【図１２】
2004348506.tif 000014
【図１３】
2004348506.tif 000015
【図１４】
2004348506.tif 000016
【図１５】
2004348506.tif 000017
【図１６】
2004348506.tif 000018